Podtech/llm-jp-corpus-v4-ja_patent huggingface dataset:
(57)【要約】      （修正有）【課題】栗の毬を用いた猫避方法及びその装置の提供【解決手段】猫の侵入路に栗の毬１を動かないように設置する。【選択図】図１
2011155961.tif 000002
【特許請求の範囲】
【請求項１】
猫の侵入路に、その侵入路の幅及び猫が飛び越えられない長さの範囲に、栗の毬を動かないように設置することを特徴とする猫避方法
【請求項２】
猫の侵入路に、その侵入路の幅及び猫が飛び越えられない長さの範囲に、栗の毬を動かないように設置することを特徴とする猫避装置
【発明の詳細な説明】
【発明の詳細な説明】
【技術分野】
【０００１】  本願発明は、猫避けに関するものである。
【背景技術】
【０００２】  従来、猫避は、木酢液やクレゾールなど強い臭気を発するものや超音波などの音波によるものが知られていた。
一方、本願発明で用いる栗の毬については、季節感の演出のためのウィンドゥディスプレイなどに用いられるほか、とりわけて利用方法はなく、廃棄されていた。【０００３】
【特許文献１】  たとえば超音波を用いた動物避としては特開２００９−０７２１７４が知られる。
【発明の開示】
【発明が解決しようとする課題】
【０００４】  本願発明は、庭などに侵入してくる野良猫や他家の飼猫などの庭などへの侵入を防止することにある。
【課題を解決するための手段】
【０００５】  本願発明は、猫の侵入路に栗の毬を動かないように設置することにより上記課題を解決する。
【発明の効果】
【０００６】  本願発明は上記課題を解決できるほか、従来ゴミとして廃棄されていた栗の毬を有効に利用することができ、安価に猫の侵入を防ぐことができる。
【実施例】
【０００７】  以下、本願発明の実施例を図面を参照しながら説明する。【０００８】  図１は、本願発明の一実施例の平面図である。【０００９】  本実施例は、複数の栗の毬１に針金２を通し、数珠状にし、その数珠状にしたもの四箇を横長の「Ｈ」状の枠３に固定してある。本願発明は、栗の毬１の棘により猫が身体に傷を負うのを避け、猫の侵入を防ぐものである。猫の侵入路を塞いだ栗の毬１が風や猫の前肢などにより移動すれば、猫の侵入を妨害することができなくなるため、「Ｈ」状の枠３と針金２により栗の毬１を固定した。【００１０】  本実施例では、横長の「Ｈ」状にした枠３の「Ｈ」の縦棒を猫の飛び越えられない長さ、「Ｈ」の横棒を猫の侵入路の幅とする。【００１１】  枠３は、猫がその上に乗れるようでは、猫の侵入を防げないため、猫が乗れない幅とする。【００１２】  つぎに毬１は、針金２に通され、数珠状になっている。本実施例では、一段目で毬１は五箇、二段目が六箇、三段目が五箇、四段目が六箇としてある。毬１が密集するほど、猫は容易に侵入できない。【００１３】  本実施例は、本願発明の一態様を示したものに過ぎず、本願発明の趣旨を逸脱しない範囲での変形改良が可能であることはいうまでもないことである。
【図面の簡単な説明】
【図１】  図１は、本願発明の一実施例の平面図である。
【符号の説明】  １      栗の毬
２      枠
３      針金
【図１】
2011155961.tif 000003
(57)【要約】【課題】果実の収穫を容易にするための、果実収穫補助具を提供する。【解決手段】伸縮棒の先端に設けた引っ掛け部で、果樹の枝を引っ掛けながら引き寄せ、下端に設けた掛止部と腰ベルトに設けたフック部を連結させることを特徴とする果実収穫補助具。【選択図】図１
2011155964.tif 000002
【特許請求の範囲】
【請求項１】
伸縮棒の先端に設けた引っ掛け部で果樹の枝を引っ掛け、引き寄せることにより、果実の収穫を容易にすることを特徴とする果実収穫補助具。
【請求項２】
伸縮棒の後端に設けた掛止部と、腰ベルトに設けたフックを連結させることで両手が自由になり、両手を使った作業が可能となることを特徴とする請求項１記載の果実収穫補助具。
【発明の詳細な説明】
【技術分野】
【０００１】本発明は、果実の収穫を容易にするための、果実収穫補助具に関するものである。
【背景技術】
【０００２】最近の果樹栽培は矮化栽培が主流である。しかしながら果実の収穫は、手の届く範囲であれば直接収穫するが、手の届かないときは、脚立等を利用しなければならない。また果実の収穫を容易にする為の考案として、果実を収穫する際、手の届かない場合、果樹の枝に引っ掛けた補助具に紐を結び付け、その端を足で押さえるとした補助具が知られている（特許文献１）。
【先行技術文献】
【０００３】
【特許文献１】特開２００７ー００６８７８号公報
【発明の概要】
【発明が解決しようとする課題】
【０００４】そのために、つぎのような問題点があった。
（イ）脚立等を持っての移動、上り下りに労力を使う。
（ロ）脚立を利用して果実を収穫しようとすると、どうしても態勢が不安定となり危険を伴う。
（ハ）果樹の種類によっては、鋏等で果実の軸を切断し収穫しなければならないものもあるので、両手を利用せざるを得ない。よって脚立での作業はより危険度を増す。
また，特許文献１記載の果実を収穫する際、手の届かない場合、果樹の枝に引っ掛けた補助具に紐を結び付け、その端を足で押さえるとした方法では紐を押さえる足に、体重と神経を傾注させなければならない。
本発明は、以上の問題点を解決するために考案されたものである。
【課題を解決するための手段】
【０００５】伸縮棒の先端に設けた引っ掛け部で果樹の枝を引っ掛け引き寄せる。そして伸縮棒の後端に設けた掛止部と、腰ベルトに設けたフック部を連結させることで両手が自由になる。以上を特徴とする果実収穫補助具である。
【発明の効果】
【０００６】本発明により、果樹の枝を手の届く範囲に引き寄せることで、果実の収穫が容易になり、また両手を使っての作業が必要な果樹については、伸縮棒の掛止部と腰ベルトのフック部を連結させることにより、両手による作業が可能となる。また脚立等を利用しても高位に上がらなくても済むので危険度が減る。作業者の体型や樹形に合わせ、伸縮棒の長さを調節することで、より作業が容易になる。
【図面の簡単な説明】
【０００７】
【図１】  本発明の斜視図
【図２】  本発明のＡ−Ａ断面図
【図３】  本発明の請求項１記載の使用状態を示す斜視図
【図４】  本発明の請求項２記載の使用状態を示す斜視図
【発明を実施するための形態】
【０００８】以下、本発明の実施の形態について説明する。
（イ）伸縮棒（１）の先端に、上辺が湾曲したＴ型の金属製の引っ掛け部（２）を設ける。
（ロ）伸縮棒（１）の後端に、掛止部（４）を設ける。
（ハ）フック部（６）を設けたフック基部（７）を腰ベルト（５）に固定する。
本発明は、以上のような構成よりなっている。
本発明を使用するときは、伸縮棒（１）のストッパー（３）をゆるめ伸縮棒（１）を伸張させ作業者の体型や樹形に合わせストッパー（３）を締める。先端の引っ掛け部（２）は右方、左方共利用することができ、また分岐した枝を同時に固定することもできる。フック部（６）はフック基部（７）に枢着軸（８）を介し回転可能に枢着され、腰ベルト（５）に固定されたものを腰に装着する。伸縮棒（１）先端の引っかけ部（２）を果樹の枝にひっかけながら引き寄せ、収穫を行う。また両手を使う作業の場合は伸縮棒（１）後端の掛止部（４）と腰ベルト（５）に設けたフック部（６）とを連結する。そうすることにより果樹の枝は、下垂した状態で保持され両手が自由となるので、両手を使った作業が可能となる。
【符号の説明】
【０００９】１  伸縮棒
２  引っ掛け部
３  ストッパー
４  掛止部
５  腰ベルト
６  フック部
７  フック基部
８  枢着軸
【図１】
2011155964.tif 000003
【図２】
2011155964.tif 000004
【図３】
2011155964.tif 000005
【図４】
2011155964.tif 000006
(57)【要約】【課題】梅干は塩分が多いので、塩分を少なくした梅を漬けて、梅干ができたら種を取り除き梅肉だけにして、焼き焦がすことで水分を無くすようにした。【解決手段】梅肉をやくとき、レモン汁２、ゴマ油３、オリーブオイル４を加えフライパンで焼き水分をなくす。ゴマ油、オリーブオイルが入ることで酸化しにくく長期保存できる。【選択図】図１
2011155963.tif 000002
【特許請求の範囲】
【請求項１】
血流を良くするだけでは血液の改善にはならない。
レモンを入れることで、ビタミンＣ・クエン酸が豊富になる。
【請求項２】
ゴマ油が入ることで、鉄・亜鉛・マグネシウム・オレイン酸・ビタミンＢ１  Ｂ２  Ｂ１５  Ｅ・カルシウムなど人体に必要な栄養素などが大量に入っている。
【請求項３】
オリーブオイルは、リノール酸が豊富で焦げやすいので、梅肉を焼き焦がすことで出来るムメフラールができやすい。又焦げても苦くならない、ことさらに鉄製のフライパンで焼くことで、梅肉の鉄分が豊富になる。
【発明の詳細な説明】
【技術分野】
【０００１】本発明は、梅干から種を取り除き梅肉にし、フライパンで焼き焦がし、血流を良くし貧血・コレステロール・中性脂肪などの改善に関する物である。
【背景技術】
【０００２】梅干の塩分を少なくし、長期間保存できるようにした。
【発明の概要】
【発明が解決しようとする課題】
【０００３】梅干を焼き焦がすことで、ムメフラールが発生して血流が良くなるが、塩分を取り過ぎ、又焼き焦がすことで、苦くなると言う問題点があった。
【課題を解決するための手段】
【０００４】梅を漬けるときに、塩を少なくし、梅干が出来たら種を取り梅肉にする。【０００５】梅肉１、レモン汁２、ゴマ油３、オリーブオイル４をフライパンに入れ、水分が無くなるまで焼き焦がす。
【発明の効果】
【０００６】水分が無く、塩分が少なくても長期間保存でき、毎日食べることによって、貧血・高コレステロール・中性脂肪などが改善した。
【図面の簡単な説明】
【０００７】焼き梅肉を作るときに入る物を書きました。
【図１】焼き始めるときの図面である。
【図２】焼いて水分が無くなり焦げた状態の図面である。
【発明を実施するための形態】
【０００８】入っている食品が、すべてアルカリ食品であるために、水分が無くなっているので酸化しにくく長期間保存できる。
【符号の説明】
【０００９】１  梅肉
２  レモン汁
３  ゴマ油
４  オリーブオイル
【図１】
2011155963.tif 000003
【図２】
2011155963.tif 000004
(57)【要約】      （修正有）【課題】酵母を短時間で培養する方法および安定した発酵力を有する酵母を提供する。【解決手段】酵母菌が付着しているレーズンなどの果実と、酵母が成長するための栄養分となる糖分である全粒粉などの小麦粉類を一緒に混ぜて発酵（培養）させ、短時間でなおかつ強い酵母を培養する。【選択図】なし【特許請求の範囲】
【請求項１】
酵母の種起こしの初期段階から、酵母が付着している果実と穀物粉を混ぜ合わせるという酵母発酵方法。
【請求項２】
前記果実がレーズンであることを特徴とする請求項１記載の酵母発酵方法。
【請求項３】
前記穀物粉が小麦類であることを特徴とする請求項１または２記載の酵母発酵方法。
【請求項４】
２５℃〜３５℃の温度条件で３６時間〜４０時間で発酵させることを特徴とする請求項１または２または３記載の酵母発酵方法。
【請求項５】
２０〜３０時間後に穀物粉を追加することを特徴とする請求項１または２または３または４記載の酵母発酵方法。
【発明の詳細な説明】
【技術分野】
【０００１】
本発明は、短時間で酵母を培養する技術に関するものである。
【０００２】
解決しようとする問題点は、従来の酵母の種おこしでは、約10日〜15日間といった長時間を要したので、それをより短時間で培養する為の方法を発見する事である。
また、従来の酵母の培養により得られた元種は発酵力が弱い。それをより安定性のあるものにし、長期間使用するものにする事である。
【０００３】
従来からの培養法である、レーズン種などの果実を使って培養する方法とサワー種といった全粒粉などの小麦粉類から培養する方法を合わせた製法にして、酵母を培養する。
【先行技術文献】
【特許文献】
【０００４】
【特許文献１】特開2007-195474
【特許文献２】特開2006-325562
【非特許文献】
【０００５】
【非特許文献１】プロのためのわかりやすい製パン技術  大阪あべの辻製パン技術専門カレッジ  江崎修著  Ｐ１０７〜１１５
【発明の概要】
【発明が解決しようとする課題】
【０００６】
従来の酵母の培養法の果実を発酵させる方法では、培地に栄養となる糖分がないため、酵母菌が発芽がするまで長時間を要した。
また、全粒粉を発酵させるサワー種と呼ばれる方法では、全粒粉そのものが糖分ではあるが、酵母菌は空気中のものを利用するため、酵母菌が発芽するまで長時間を要した。
【課題を解決するための手段】
【０００７】
この発明は、酵母菌が付着している果実と、酵母が成長するための栄養分となる糖分である穀物粉を一緒に混ぜて発酵（培養）させる。
【発明の効果】
【０００８】
酵母が発芽するまでの時間が３６時間まで短縮された。また、得られる酵母は非常に安定性に優れている。
【発明を実施するための形態】
【０００９】
１．果実類による種起こしは果実の付着酵母を培養し増やす事が目的であるが、この果実を使った種起こしの欠点は初期段階での栄養不足が考えられる。少量のハチミツは入るものの、果実付着酵母を培養促進させるのに、水につけ込むのみであるため、栄養不足が続き、培養が進みにくく時間がかかり不安定である。
２．サワー種タイプの酵母培養法は小麦粉類と水を合わせ、空気中の酵母を付させ培養するのだが、酵母の絶対数が少ない為、時間がかかる。ただ、小麦という栄養分がある為、なんとか酵母は培養される。
３．1の場合は果実の付着酵母はあるものの栄養不足、2の場合、栄養はあるもののイースト不足。
【実施例１】
【００１０】
今回の酵母培養法は初期段階から果実、穀物粉、水を混ぜ合わせ、25〜35℃の温度で管理し、24時間置く。さらに、穀物粉、水を追加し混ぜ合わせ25〜35℃の温度で管理して12時間置く。
【表１】
2011155926.tif 000002
レーズン添加量５％の違いで、実験発酵時間に２時間の差が出た
(57)【要約】 【課題】  安全性の確認された食品から抽出した成分を、ご飯を一週間程度常温保存するための抗カビ・抗バクテリア剤として提供する。【解決手段】  茶葉を構成する成分の内、エピガロカテキンやエピガロカテキンガレート、エピカテキン、エピカテキンガレートなどのカテキン類からなる有効成分の混合物を抽出濃縮し、米を炊飯する前または炊飯後に添加することにより、炊飯しても死滅していないカビ胞子の増殖を抑えるとともに空中浮遊バクテリアの付着増殖を抑制する。【選択図】  なし【特許請求の範囲】
【請求項１】
茶葉を食用エタノール抽出する工程を含むことを特徴とする抗カビ・抗バクテリア組成物の抽出製造方法。
【請求項２】
請求項１記載の方法により得られ、エピガロカテキンガレートおよびエピカテキンの一方または双方を含むことを特徴とする抗カビ・抗バクテリア組成物。
【請求項３】
茶葉から抽出したエピガロカテキンガレートやエピカテキンなどの有効成分の混合物を添加することにより、ご飯の保存性を向上させる保存加工方法。
【発明の詳細な説明】
【技術分野】
【０００１】
本発明は、常温保存するご飯に繁殖するカビやバクテリア等の有害微生物の増殖を抑えることにより、保存性を高めるために添加する食品由来の添加剤に関するものである。
【背景技術】
【０００２】
米を炊飯したご飯は、我国はもとより東アジアの主食に位置するが、β化しやすいと共にカビやバクテリア等の有害微生物の繁殖による腐敗が短時間で進むため、保存性が悪いという弱点を有する。ご飯の食感を保ちながらカビやバクテリア等の有害微生物の増殖を抑える食品由来の添加物の開発が待たれているところであった。
【０００３】
一般的には、脂肪を添加することにより空中浮遊カビやバクテリア等の有害微生物の付着を減少させるという方法が行われているが、食感が変化するだけでなく、常温保存の場合にはカビやバクテリア等の有害微生物増殖を１日程度伸ばすに留まるため、業務用のおにぎりや弁当程度の普及に留まっている。
【０００４】
従来開発され使用が認可されている防腐剤を添加する方法も行われているが、健康への影響が危惧されることから、消費者に敬遠され、使用が自粛される傾向にある。
【０００５】
我国で古代より利用されてきた茶葉に含まれる成分の中から、ご飯に付着増殖するカビやバクテリア等の有害微生物の増殖を抑制する成分を抽出し、ご飯の保存性を高める技術が本発明である。
【先行技術文献】
【特許文献】
【０００６】
【特許文献１】特開２００６−３０４７６１号公報
【非特許文献】
【０００７】
【非特許文献１】村松敬一郎著  「茶の科学」朝倉書店  ２００２年  P.１６１−１６７
【発明の概要】
【発明が解決しようとする課題】
【０００８】
解決しようとする問題点は、摂氏１００℃で炊飯し、無菌状態で保存しても繁殖するカビやバクテリア等の有害微生物の繁殖抑制に有効な成分を、自然食品から抽出する方法が確立されていない点である。
【課題を解決するための手段】
【０００９】
本発明は、請求項に記載の発明により、茶葉からカビやバクテリア等の有害微生物の繁殖抑制に有効な成分を抽出し、炊飯前の米に混入して炊飯する、または炊飯後のご飯に混入することを主要な特徴とする。
【００１０】
第１の発明は、茶葉を食用エタノール抽出する工程を含むことを特徴とする抗カビ・抗バクテリア組成物の抽出製造方法に関するものである。
【００１１】
第２の発明は、前項記載の方法により得られ、エピガロカテキンガレートおよびエピカテキンの一方または双方を含むことを特徴とする抗カビ・抗バクテリア組成物に関するものである。
【００１２】
第３の発明は、茶葉から抽出したエピガロカテキンガレートやエピカテキンなどの有効成分の混合物を添加することにより、ご飯の保存性を向上する方法に関するものである。
【発明の効果】
【００１３】
本発明により加工したご飯は、２５℃程度の室温環境下において一週間程度の保存性を有するため、ご飯またはご飯加工物を携行し、常時食することができるという利点を有する。
【発明を実施するための形態】
【００１４】
本発明により、ご飯を加工した携行可能な形態へと加工または非加工状態として、常時食することが出来る状態に長期間保つという目的を、古来より食物として利用してきた茶葉から抽出した成分を微量添加することにより可能とした。
【００１５】
茶葉からエピガロカテキンガレートやエピカテキンなどの抗カビ・抗バクテリア有効成分を抽出するために、前処理工程として、茶葉を出来るだけ粉砕する。望ましくは、抹茶状とする。
【００１６】
茶葉からエピガロカテキンガレートやエピカテキンなどの抗カビ・抗バクテリア有効成分を抽出するために、溶媒として食用エタノールを用いる。
【００１７】
食用エタノール１００ミリリットルに対し、２ｇ〜２０ｇの茶葉を浸漬し、常温で２０分程度放置する。
【００１８】
前項で得られた溶液をろ過して得られた溶液を、湯煎または常温乾燥させることにより、１０倍程度の濃縮液を得る。
【００１９】
前項で得られた濃縮液を、米重量比１％程度添加して通常炊飯する。または、通常炊飯したご飯に米重量比１％程度の濃縮液を添加して混合する。
【実施例】
【００２０】
抹茶１０ｇを食用エタノール１００ミリリットルに２０分間浸漬した後、ろ過して得た抹茶抽出溶液から食用エタノールを常温乾燥させて、濃縮液１０ミリリットルを得た。
【００２１】
前項により得られた濃縮液を、エピガロカテキンガレートを標準物質として高速液体クロマトグラフィーを用いて分析したところ、エピガロカテキンガレートおよびエピカテキンを含む数種のカテキン類混合物であることがわかった。
【００２２】
本発明による茶葉抽出濃縮液を米重量比１％添加し、炊飯したご飯を２５℃程度の室温環境下で保存した場合、７日後においてもカビの発生が見られず、ご飯保存の効果が見られた。
【００２３】
本発明による抹茶抽出濃縮液を、炊飯したご飯重量比１％添加攪拌し、２５℃程度の室温環境下で保存した場合、４日後においてもカビの発生が見られず、ご飯保存の効果が見られた。
【００２４】
本発明によるカビやバクテリア等の有害微生物抑止剤を利用する場合、米粒全ての表面および内部まで浸透させ被膜することによりカビやバクテリア等の有害微生物繁殖抑止効果が得られており、米炊飯による水分との接触面を被膜する手法であれば炊飯方法および添加方法は問わない。
(57)【要約】【目的】音響機器用イヤホンコードに装飾性を持たせ暖かみのある、肌触りの柔らかいイヤホンコードを提供する。【解決手段】イヤホンコードの構成体であるイヤホンおよびプラグの部分を除き軟質ビニルでできたコード部分を織り込まれた繊維または短繊維、革紐等を使用し、溶着・溶断、組み紐、フロッキー加工等の手段を用いてカラフルで装飾性豊かで肌触りの良いイヤホン用コード。【選択図】図１
2011155623.tif 000002
【特許請求の範囲】
【請求項１】
オーディオ等音響機材のイヤホンコード部分に染色または織り込まれた化学繊維を巻き又は挟み込み、その一部分を溶着溶断することによりコード部分を包み込んで一体となすイヤホンコード
【請求項２】
オーディオ等音響機器のイヤホンコード部分に接着剤を塗布した後、染色された短繊維に静電気を持たせてコード部分に貼り付けフロッキー加工を施したイヤホンコード
【請求項３】
革の厚さを薄く漉きそれを細かく短冊状に裁断したものでオーディオ等機器のイヤホンコード部分を芯材としてその周囲を組み紐状に編んだことにより紐状となったイヤホンコード
【請求項４】
請求項４と同様であるがその材料を糸状もしくは束ねた繊維を使って組み紐状に編み上げたイヤホンコード
【請求項５】
オーディオ等音響機器のコード部分を真空蒸着によってメタリックな外観を持つイヤホンコード
【発明の詳細な説明】
【技術の分野】
【０００１】    オーディオ機器用イヤホンに装飾性を持たせ、丈夫で温かみのあるイヤホンコードを作る。
【背景技術】
【０００２】
【先行技術文献】
【特許文献】
【発明の概要】
【発明が解決しようとする課題】
【０００３】オーディオ機器用イヤホンコードにはモノラル用のシングル線タイプとステレオ用のダブル線タイプがあるが、その線径、線材は流動する電流、電圧の関係で規格化されている。そのカバーとなっている材質は軟質塩化ビニール樹脂やＥＶＡエラストマーが主流であり、その外観色調もほぼ一律であって、個性に乏しいものになっている。そこでカラフルでファッショナブルなイヤホンコードを作成する。
【課題を解決するための手段】
【０００４】コード内の導線絶縁材を変更することは製造工程を含めて非常に困難であるため、完成されているコードの外側を布・革等で覆うか巻きつける、又はコードの表面に短繊維を静電気植毛するフロッキー加工をする、又は真空蒸着等により、オーディオ機器用イヤホンコードの外観を大きく変えることが出来る。
【発明の効果】
【０００５】プラスチックむきだしで個性のないオーディオ機器用イヤホンコードを、カラフルで肌触りの柔らかい、又アレルギー体質の人にとって無害の材質でカバーされているため、温かみのある個性的なオーディオ機器用イヤホンコードを提供することが出来る。
【図面の簡単な説明】
【０００６】図１は本考案に係わるオーディオ機器用イヤホンの一実施形態の説明図である。１はイヤホン、２はプラグ、３は導線コードであり、導線コード３の一方端にイヤホン１、他方端にプラグ２が接続されている。導線コード３の外周は布もしくは革等で包まれており、その外装布４は染色やプリントが施されており、装飾性に優れている。【０００７】図２は導線コード３の上下にプリントまたは染色された糸を織った布地５を置いて、外周部を溶断（熔融断裁）６をして溶着させたものであり、その材質はナイロン、ポリエステル、アクリル等化学繊維を使用する。また導線コード３の屈曲を妨げることがない、また布地を使用しているため肌触りが良いものになる。【０００８】図３は導線コード３の周囲に短繊維７を静電気を利用して着床・塗布し接着・固化するフロッキー加工をする方法である。繊維同士の横の連結がないため導線コード３の柔軟性を失うこともない、また繊維が導線コード３に対して３６０度直角方向に立ち並ぶため暖かくソフトな感触を保有するものになる。【０００９】図４は導線コード３を芯にして周囲を細かく裁断した革８を組み紐の要領で組上げていくものであり、これも導線コード３と接着されていないため導線コード３の柔軟性を失うことはない、また細かく切った革６の色の組み合わせ、により個性的で高級感あふれ、オーディオ機器イヤホンの価値を高めることは十分考えられる。【００１０】図５は導線コード３の周囲に接着剤９を塗布し、その表面にアルミの真空蒸着層１０を施しその上から着色した塗料を塗布することによりメタリックな感じのするオーディオ機器用イヤホンを個性的なものになる。
【発明を実施するための形態】
【実施例１】
【００１１】オーディオ機器用イヤホンのコード部分は、導線を軟質塩化ビニルで被覆しているものが大部分であるが、そのイヤホン部分とプラグ部を結ぶ導線部を多彩に染色もしくは編まれた布でカバーしてカラフルで個性的なものにするもので、その形態は導線部を芯材として上下に化学繊維で加工された布をはさみ、上下を熱線によって溶着すると同時に不要部分を溶断して上下布を一体としてコード線を包み込むものである。暖かみのあるオーディオ機器用イヤホンコードを作ることが出来た。
【実施例２】
【００１２】導線コードを芯としてその周囲を厚さ０・５〜１ｍｍに薄く漉きをし、幅３ｍｍ程度に裁断した染色された革紐を端部から編み上げていくことで紐状にするもので、導線コードとは接触しているものの一体となっていないため、導線コードの屈曲性、柔軟性を妨げることなく個性的で高級感のあるオーディオ機器用イヤホンコードを作ることが出来た。
【実施例３】
【００１３】導線コードの表面に満遍なく軟質塩化ビニール用接着剤を吹付け、静電気発生器にて帯電させた化学繊維を染色したポリエステル繊維の短繊維を吹きかけ、導電コードの表面に均一に植毛加工をし、接着剤が硬化した後過剰で不要な短繊維を吸い取る、これにより導電コードに均一に植毛された柔らかい感触の彩色されたものを得ることが出来た。
【産業上の利用可能性】
【００１４】以上説明してきた通り本発明はオーディオ機器用イヤホンコードに個性・装飾性を持たせることが出来ると同時に、肌あたりが柔らかくコード部分の補強にも役立つものであり、ファッション性のあるイヤホンコードを提供できる。
【符号の説明】
【００１５】１、イヤホン          ７、短繊維
２、プラグ            ８、革紐
３、導線コード        ９、接着剤塗布部
４、外装部          １０、アルミ蒸着膜
５、外装布          １１、表面塗装膜
６、溶接・溶断部
【図１】
2011155623.tif 000003
【図２】
2011155623.tif 000004
【図３】
2011155623.tif 000005
【図４】
2011155623.tif 000006
【図５】
2011155623.tif 000007
(57)【要約】【課題】  薬味、野菜を使用せず、豚足を何度も繰り返しボイルする事により          豚足本来の臭みを感じずコラーゲンを多く含み香ばしく香り豊かな          調理豚足を提供できる。【解決手段】豚足は、軟骨、腱、靱帯などの結合組織で出来ている為、豚足を薬味、野菜などを使用せず長時間水だけで何度も繰り返しボイルする工程により、ゼラチン化してより多くのコラーゲンを引き出し、更に焼き上げる工程で、豚足の表面は、香ばしく、中は、とろとろになる調理法を特徴とすることとした。【選択図】  図1
2011155896.tif 000002
【特許請求の範囲】
【請求項１】
生の豚足を半割にして水のみで、豚足を所望時間煮込んでは豚足の爪の間にある
汚れを洗い流し、水変えの作業を何度も繰り返し豚足を冷却することにより
豚足本来のコラーゲンを引き出すが、豚足には、薄い毛があるので、
毛焼き作業をして豚足全体を香ばしく香り豊に焼き上げることを特徴とする
焼き豚足の調理法。
【発明の詳細な説明】
【技術分野】
【０００１】
本発明は、焼き豚足の調理法に関するものである。
【背景技術】
【０００２】
従来、豚足は、コラーゲンが豊富で美肌に良く、食する事でビタミンＡ（カロテン）が
体内の中で発生し健康にとても良いと知られて来ました。
【０００３】
しかし、本来の豚足では豚足独特の臭みを調和させるのに薬味、野菜などを使用する事が
多くたとえば特許文献参照
【先行技術文献】
【特許文献】
【０００４】
【特許文献１】特開2007-174922号公報
【発明の概要】
【発明が解決しようとする課題】
【０００５】
しかし、特許文献1記載の方法では、豚足だけの旨みも消してしまい生ゴミも増える
欠点があった。
また、食するものから、豚足が硬いゴムを食べている感じなどの問題点があった。
【０００６】
解決しようとする問題点は、生ゴミを減らし、豚足本来の旨みを引き出す点である。
【課題を解決するための手段】
【０００７】
この改善策として、薬味、野菜を使わず、生ゴミを減らし、臭みのない
豚足本来の旨みを引き出し、水だけで所望時間ボイルを何度も繰り返し行う。
すなわち、発明は、生の豚足を半割りにして、水のみで豚足を所望時間煮込んでは、
豚足の爪の間にある汚れを洗い流し、水変えの作業を何度も繰り返し、
豚足を冷却する事により豚足本来のコラーゲンを引き出すが、豚足には、
毛があるので、毛焼き作業をして、豚足全体を香ばしく香り豊に焼き上げることを
特徴とする豚足の調理法に関するものである。
【発明の効果】
【０００８】
本発明の豚足は、薬味、野菜を使用せず、所望時間何度も繰り返しボイルする事で
臭みのないコラーゲン豊富な豚足に仕上がり、なおかつ食べやすく
香ばしく焼く事で大人から、子供まで食することができると言う利点がある。
【図面の簡単な説明】
【０００９】
【図１】図1は、豚足の工程作業を示した説明図である。
【発明を実施するための形態】
【００１０】
本発明の実施の刑態を詳述する。
豚足を調製する工程は、まず豚足は一本なので半割にする工程。
【００１１】
豚足ボイル工程について説明する。
豚足２０本に対し水５リットルでボイルするが、汚れが浮いてくるので、
こまめに取り除き、一時間煮込んだら水を流す。
同じ作業を繰り返し４回行う工程。
【００１２】
洗浄工程と冷却工程について説明する。
ボイルが終わった豚足を一つ一つ爪の間にある汚れを落としながら洗浄し、
冷水にて２０分ほどさらす。
【００１３】
毛焼き工程と豚足焼き工程について説明する。
豚足は、薄い毛がどうしても残るためバーナーで毛を焼く工程。
毛を焼いた豚足をグリルで焦げ目がつくまで両面焼く事にむより香ばしく
香り豊かな豚足に仕上がる工程。
【図１】
2011155896.tif 000003
(57)【要約】      （修正有）【課題】室内の見苦しい電気コードを、目立たなくする。【解決手段】室内には、数多くの電気製品等に接続するための電気コード１がコンセントに接続される場合が有り、各々が個別に配線されるため、ごちゃごちゃして見苦しい状況が生じる。これを解決するため、床と壁の境界部にダクトを設置し、配線する方法等が提案されているが、電気製品との接続における自由度が制約される場合もある。そこで、電気コードをパイプ状のカバー２に収納し、パイプの表面に床材と似た色や柄３を着けることで、保護色のように目立たなくする。【選択図】図１
2011155822.tif 000002
【特許請求の範囲】
【請求項１】
ビニール等のパイプ状の物に床材に似た柄や色をつけて、電気コードにかぶせられる様に縦に切り込みを入れたカバー。
また、ビニール等のパイプ状の物でなく、ビニールテープ等の粘着テープを床材の色や柄に似せてもよい。
【発明の詳細な説明】
【発明の詳細な説明】
【技術分野】
【０００１】  本発明はパイプ状の物に切り込みを入れ床材に似た柄や色をつけたものである。また、本発明はビニールテープ等の粘着テープに床材の色や柄をつけてもよい。
【背景技術】  従来、室内はいろいろな電気製品のコードでごちゃごちゃして、大変見苦しかった。
【発明を実施するための形態】
【０００３】  本発明は、室内でごちゃごちゃしていて、見苦しかった電気コードを目立たなくする電気コードカバーで、それを図面について説明すれば、室内の電気コード１にかぶせるカバー２に床材に似た色や柄３を付けたものである。
【発明の効果】
【０００４】  このようにすれば、電気コードに床材の柄や色の付いたカバーをかぶせると、保護色の様に電気コードが目立たなくなるので大変便利である。
【図面の簡単な説明】
【図１】使用状態を表す斜視図
【符号の説明】１  電気コード
２  カバー
３  床材に似た色や柄
【図１】
2011155822.tif 000003
(57)【要約】      （修正有）【課題】従来の木材合削り加工方法は、加工材に回転する刃物を人力で加圧して移動させる、若しくは回転する刃物に加工材を人力で加圧して移動する方法である。従来の方法に依れば、加圧力の強弱によって加工後の寸法にムラが生じていた、特に薄物の板材の加工時にこの傾向がある、また回転する刃物に指等を近接させねばならず、労働衛生安全上も問題点の多い作業状況であった。【解決手段】昇降盤定木とベアリングの間に加工材を挿入し、圧縮バネの反力を利用して加工材を昇降盤定木に加圧させながら、昇降盤定盤に加工材を人力で移動させる。【選択図】図２
2011194869.tif 000002
【特許請求の範囲】
【請求項１】
バネとベアリングを併用した木工機械用の治具
【発明の詳細な説明】
【技術分野】
【０００１】本発明は木工機械の治具に関するものである。
【背景技術】
【０００２】従来木材の合削り加工をするには、加工材の加工面上で回転する刃物を移動する方法、又は加工材を回転する刃物上方で移動させる方法がある。
【発明の概要】
【発明が解決しようとする課題】
【０００３】従来の方法に依れば、回転する刃物への加工材の加圧の強弱、又は加工材への回転する刃物の加圧の強弱に依り加工材の加工後の寸法誤差が大きい、つまり加圧のバラつきが寸法のバラつき、となっていた。
又回転する刃物に人体（特に指等）を近接させるため事故、怪我、等の危険性が高い。
【課題を解決させるための手段】
【０００４】そこで、本発明はバネとベアリングを併用した、摺動体を複数構成して上記課題を解決する。
【発明の効果】
【０００５】バネにより加工材へ均一加圧し、ベアリングの回転によって摩擦抵抗を軽減し、回転する刃物へ人体（指）、等を近接させることなく安全に作業が出来、加工後の寸法精度、加工能率とも向上する。
【図面の簡単な説明】
【０００６】
【図１】本発明の平面図
【図２】同じく、断面図
【図３】同じく、右面図
【発明を実施するための形態】
【０００７】本発明は、図１に示すように２個の圧縮バネとベアリングで構成される摺動体、３組で構成する。
【実施例】
【０００８】昇降盤定木とベアリングの間に加工材を挿入して、バネの反力で加工材を昇降盤定木に均一加圧させながら、加工材を人力で移動させる。
【符号の説明】
【０００９】９      ベアリング
１１    バネ
１５    昇降盤定木
１７    昇降盤定盤
【図１】
2011194869.tif 000003
【図２】
2011194869.tif 000004
【図３】
2011194869.tif 000005
(57)【要約】      （修正有）【課題】肩に掛けるので手が疲れずにマッサージが出来ることを提供する。【解決手段】肩掛けベルト１にマッサージ部２を取り付け手を疲れずにマッサージが出来る肩掛け式マッサージベルト。【選択図】図１
2011194192.tif 000002
【特許請求の範囲】
【請求項１】
帯状のベルトにマッサージが出来る機能を付けた肩かけ式の肩掛け式マッサジベルト
【発明の詳細な説明】
【技術分野】
【０００１】本発明は、肩にかけてマッサージをする肩掛け式マッサージベルトのことである
【背景技術】
【０００２】従来マッサージはマッサージチェアーや手に持ってマッサージをするマッサージ機しかなかった
【発明の開示】
【発明が解決しょうとする課題】
【０００３】そのために、次のような問題点があった、（イ）手に持つマッサージ機は、すぐ手が疲れたりすることがあった（ロ）マッサージチェアーは値段が高かった
【課題を解決するための手段】
【０００４】肩にかけるだけでマッサージをすることが出来る肩掛け式マッサージベルトである
【発明の効果】
【０００５】本発明は、マッサージをしても手が疲れず機械の値段も安くすむことが出来ることである
【発明を実施するための最良の形態】
【０００６】以下、本発明の実施の形態を説明する。（イ）ベルト（１）の中央部にマッサージ部（２）をつける。本発明、以上の構造よりなっている。
【図面の簡単な説明】
【０００７】
【図１】本発明の斜視図
【符号の説明】
【０００８】１    肩掛けベルト２    マッサージ部
【図１】
2011194192.tif 000003
(57)【要約】【課題】自動車運転等で求められる機敏性、反射神経は年齢と共に衰える。自分でその数値とレベルを確認し又訓練することが出来る玩具を提供する。【解決手段】プラスチック覆板により構成される、計算機型玩具の表部中央に、複数個のＬＥＤランプ付き押しボタンと、電源スイッチ、スタート、クリヤーボタン、スピード設定装置、数値表示盤を設ける。電源を入れ、非常に早い、早い、普通、の３段階より速さの設定を行い、スタートする、プログラムによりＬＥＤランプが次々と点灯点滅してゆき点灯中にそのボタンを押すことにより、その数値が表示盤に表示される、一定時間内に押された数値を年齢別平均値を参考に自分の能力を認識でき努力目標が設定できる。ゲーム終了後クリヤーボタンにより再ゲームが可能とする。以上の構成よりなる、ＬＥＤランプ付き早押し玩具。【選択図】図１
2011194191.tif 000002
【特許請求の範囲】
【請求項１】
プラスチック製計算機型玩具の中央部に複数個のＬＥＤランプと押しボタンを設ける端部に電源スイッチ、スピード設定装置、スタート及びクリアーボタン、数値表示盤を設ける電源は電池又はアダプタ使用による低電圧電気による。スタートボタンで、プログラムによるＬＥＤランプが次々と点灯点滅、点灯中にそのボタンを押すことで数値表示盤にその数値が表示される以上の構成による玩具。
【請求項２】
プラスチック製玩具にＬＥＤランプ付き押しボタンを設ける。
【発明の詳細な説明】
【技術分野】
【０００１】この発明はプログラムにより次々と発光点滅するＬＥＤランプの場所の押しボタンを次々と押し続け一定時間に押した数値で、機敏性を競う玩具に関する。
【背景技術】
【０００２】従来機敏性を競うゲームや玩具はモグラ叩きの様な体や手足を使うものと指先を使うゲームも多数行われている。【０００３】これらゲーム機は体力を使いまたゲームが複雑なため熟年層には参加しずらい。
【課題を解決しょうとする手段】
【０００４】前記の課題を解決しょうとする手段は以下の通りである。本発明は、単順なゲームの為年代に関係なく熟年層にも参加しやすい，本発明のＬＥＤランプ付き早押し玩具は次の構成となるプラスチック製の計算機型玩具の中央部にＬＥＤランプと押しボタン複数個設け端部に電源スイッチ、スピード設定装置、スタート及びクリヤーボタン、数値表示盤を設ける、又参考として年齢別平均値を表示する以上の構成よりなるＬＥＤランプ付き早押し玩具である。
【発明の効果】
【０００５】本発明は一定時間集中して行うことで自分の反射神経や機敏性のレベルを知り又その訓練を行うことで熟年層には痴呆症予防にも効果があると考えられる。
【実施例１】
【０００６】電源スイッチボタンで電源を入れ、非常に早い、早い、普通、の３段階より速さの設定を行いスタートボタンでゲームがスタートする、プログラムによりＬＥＤランプが次々と点灯点滅してゆき点灯中にその場所の押しボタンを押し、押した数値が数値表示盤に表示される、一定時間内に押された数値を年齢別平均値を参考に自分の能力を認識でき努力目標が設定できる。ゲーム終了後、クリヤーボタンにより再ゲームが可能とする。
【図面の簡単な説明】
【００７】
【図１】本発明の正面図ＮＯ１である。
【図２】本発明の図１、Ａ−Ａ断面図である。
【図３】本発明の正面図ＮＯ２である。
【符号の説明】
【００８】１        電源スイッチ
２        ＬＥＤランプ付き押しボタン
３        ＬＥＤランプ
４        押しボタン
５        スタートボタン
６        クリアーボタン
７        スピード設定
８        数値表示盤
９        年齢平均値表
１０      電源スイッチ表示灯
【図１】
2011194191.tif 000003
【図２】
2011194191.tif 000004
【図３】
2011194191.tif 000005
(57)【要約】      （修正有）【課題】フライ返しでは反転させにくい、大きい、若しくは、柔らかい具材をフライ返しを使用せずに、皿を用いた方法で、簡単に、そして、安全に、具材の形状を崩さず反転させる。【解決手段】皿の裏側に吸盤４にて、取っ手を付け、簡単に、そして、安全に、具材の形状を崩さず反転させ、取り外す際は、取っ手をひねるだけで吸盤４内を真空状態から解除させ、簡単に取り外せる。【選択図】図１
2011194186.tif 000002
【特許請求の範囲】
【請求項１】
雌ネジが切られている取っ手であって、貫通した穴を有する雄ネジを圧入した、もしくは一体化した穴空き吸盤と結合させて使う事を特徴とする吸盤付き取っ手。
【請求項２】
フライ返しを使用せずにフライパン返しをする際、皿を使用し反転させる方法の場合に、皿の裏側に吸着させる事を特徴とする請求項１記載の吸盤付き取っ手。
【請求項３】
吸着後、取っ手をひねる事により、吸盤内を真空状態から解除し、簡単に取り外す事ができる事を特徴とする請求項１記載の吸盤付き取っ手。
【発明の詳細な説明】
【技術分野】
【０００１】  本発明は、調理器具用吸盤付き取っ手に関するもので、詳しくは、フライパンを返す際に皿の裏側に吸着させる取っ手に関する。
【背景技術】
【０００２】  従来、フライパンでの調理の際、加熱された具材を反転するのにフライ返し等を使用していた。しかしながら、具材が大きい、若しくは、柔らかい場合には、反転させた後、形状を崩し、見た目が悪くなるという問題点が生じた。【０００３】  前記フライ返しを使う以外の方法として、具材同等、若しくは、フライパン同等の皿を反転させ、調理中のフライパンにかぶせ、その両方を反転させ、具材を皿に載せるという方法が採られている。しかしながら、前記方法では、加熱されているフライパンに皿をかぶせる為、火傷をする危険性がある。それに加え、前記方法での危険を回避させる為、皿をフライパンに投げ入れると、皿を破損させる可能性も出てくる。前記両者方法での危険を回避させる為、勢いで反転させようとすると、結局、具材を崩す事になる。
【発明の概要】
【発明が解決しようとする課題】
【０００４】  フライ返しでは反転させにくい、大きい、若しくは、柔らかい具材を取っ手を吸着させる事により、皿を用いた方法で、簡単に、そして、安全に、具材の形状を崩さず反転させる事を課題としている。
【課題を解決するための手段】
【０００５】  上述の目的を達成する本発明の吸盤付き取っ手は、持ち皿の裏側に吸盤を吸着させ取っ手を取り付けることを特徴とする。前記取っ手を付けた皿をフライパンにかぶせ反転させ、具材を皿に載せる。【０００６】  前記吸盤付き取っ手の吸盤部分、それに接着、若しくは、一体化した雄ネジ、それに密着した吸盤の中央には穴が開いており、取っ手部分をひねる事で、真空状態から解除し、簡単に取り外す事ができる。
【発明の効果】
【０００７】  以上説明したように本発明によれば、フライ返しでは返しにくい、大きい、若しくは、柔らかい具材を簡単に、そして、安全に、具材の形状を崩す事なく、フライパン返しが可能になる。
【図面の簡単な説明】
【０００８】
【図１】本発明の実施の形態に係る吸盤付き取っ手の外観斜視図である。
【図２】図１の取っ手部分の縦断面図である。
【図３】図１の吸盤部分の縦断面図である。
【図４】図３に用いた雄ネジの縦断面図である。
【符号の説明】      １雌ネジ
２雄ネジ
３ゴムパッキン
４吸盤
【発明を実施するための形態】
【０００９】  以下、本発明の実施の形態を図面に基づき詳細に説明する。
【００１０】  図１に示すように、本吸盤付き取っ手は、図２と図３から成る。
【００１１】  図２に示すように、取っ手部分には雌ネジ（１）が切られており、ゴムパッキン（３）が図２と図３が結合した場合、雄ネジ（２）の先端に密着するよう内蔵されている。
【００１２】  図３に示すように、吸盤（４）と雄ネジ（２）は、接着、あるいは、一体化している。尚、接着の場合は、吸盤（４）の穴部分の直径より、若干大きめの雄ネジ（２）を圧入させる。一体化の場合は、吸盤成型の段階で、雄ネジ（２）をインサートする。図４が示すように、雄ネジ（２）は吸盤（４）に密着する部分には、ネジの切れていないダボ形状を用いる。雄ネジ（２）の材質は、金属、樹脂、その他、種類は問わない。
【００１３】  図３に示すように、雄ネジ（２）と、それと密着している吸盤（４）の穴の底面の中央に穴を開け、空洞を形成する。これにより、吸盤内を真空状態から解除する事が可能となる。
【実施例】
【００１４】  図３の雄ネジ（２）を図２の雌ネジ（１）に差し込み、最後まで締めきった状態で、皿の裏面に吸着させ、調理中のフライパンに取っ手を上にした状態でかぶせる。【００１５】  フライパンと皿が重なった状態で１８０度反転させ、具材を皿の方に移動させ、綺麗に反転させる事ができる。【００１６】  皿の裏面に吸着している吸盤は、取っ手部分を左にひねると、吸盤内に空気が入り、真空状態は解除され、簡単に取り外す事ができる。
【図１】
2011194186.tif 000003
【図２】
2011194186.tif 000004
【図３】
2011194186.tif 000005
【図４】
2011194186.tif 000006
(57)【要約】【課題】  温泉、銭湯、足湯等の入浴施設は、入浴時の満足感は得られて良いのだが、入浴後の体のぬくもりが一時的なもので直ぐに冷めてしまい持続性がないのが現状である。【解決手段】  赤外線と二酸化炭素を混合させ身体に影響のない程度のガスの空間をつくり保温性を高め、さらに着衣のまま入浴することにより体の芯から温まることで入浴後の体温の低下を遅くすることができる。【特許請求の範囲】
【請求項１】
波長０．７５ミクロンから１ミクロン程度の赤外線を地上４０ｃｍから５０ｃｍのところに設置し、装置により炭酸ガスを発生させて床上１ｍ以内のところに真空空間をつくり、身体に影響のない程度の保温性を高めるガス状態とし、着衣のまま入ることのできる入浴施設。
【発明の詳細な説明】
【技術分野】
【０００１】  本発明は、赤外線、二酸化炭素を利用し、着衣のまま入ることのできる入浴施設に関する。その時に発生する電磁波の防備も水晶体にて行う。（以前、特許申請）
【背景技術】
【０００２】  従来の施設には温泉、銭湯、足湯などがある。また、遠赤外線を利用したサウナ等もある。
【発明の概要】
【発明が解決しようとする課題】
【０００３】  以上に述べた従来の入浴施設では、入浴時の快感や入浴後の体の温もりは感じられるが、一時的なもので直ぐに冷めてしまい持続性がないのが現状であった。【０００４】  体温が１度下がると免疫力が３０％低下するという報告があり、健康という観点からも体温の低下を避けたいところである。【０００５】  女性の婦人病、冷え性等を少しでも和らげるためにも入浴における適度な体温の持続性が大事である。それが少子化防止にもつながると思われる。【０００６】  本発明は、このような従来の一時的な体の温もりだけで直ぐに冷めてしまうという問題を解決し、温もりを長く持続させることのできる入浴施設を実現することを目的とするものである。
【課題を解決するための手段】
【０００７】  本発明は、上記目的を達成するために強い熱作用があり暖房や医療機器などに用いられる赤外線を利用して体の芯から温め、体温の低下を防ごうとするものである。【０００８】  また、炭酸ガスを発生させ二酸化炭素と混合させて熱効率をよくし、より一層体温の低下を防ごうとするものである。
【発明の効果】
【０００９】  上記したように本発明の赤外線、二酸化炭素を利用した入浴施設は、体温の保温力が高まることにより免疫力の低下を防ぐことができるため健康増進に役立つものと考える。【００１０】  また、女性特有の婦人病、冷え性等を多少なり和らげることができると思われ、ゆくゆくは少子化対策の助成にも役立つものと考える。
【発明を実施するための形態】
【００１１】  波長０．７５ミクロンから１ミクロン程度の電磁波の赤外線を地上４０ｃｍから５０ｃｍのところに設置し、炭酸ガスを発生させる装置により床上１ｍ以内の真空空間をつくり身体に影響のない程度のガス状態とし、体温の低下を防ぐ。
【００１２】  さらに保温性を高めるために着衣のまま入浴できるようにする。
【００１３】  赤外線を使用することにより発生する微量の電磁波の防備のために水晶の原石を所々に張りつける。
(57)【要約】      （修正有）【課題】男子が小便時に便器の外に小便を飛散させ汚さないように、立つべき位置を意識してもらえるよう、工夫をほどこしたトイレマツト具の提供。【解決手段】便器１回りに敷くトイレマツト具の表面に左右一対の多数の突起体３又は、Ｕ字状の盛り上がり部などで囲んだ足置き場を設けることで、使用者が立つ位置と便器１との距離を適切に保つことを使用者に意識させるようにすることで、小便の飛散を少なくした。【選択図】図１
2011194190.tif 000002
【特許請求の範囲】
【請求項１】
便器回りに敷くトイレマツト具において、男子が便器外に小便を飛散しないように立つべき位置を示して左右一対の足置き場を設けたことを特徴とするトイレマツト具。
【請求項２】
上記の足置き場は回りを多数の突起体又は、Ｕ字状の盛り上がり部などで囲み、足先方向に当たる部分は開放状にし、足の大きさや、履物、スリッパの大きさなどに自由に対応性をもたせたことを特徴とする請求項１記載におけるトイレマツト具。
【請求項３】
上記の足置き場の回りを多数の突起体又はＵ字状を座金に設け、それに見合うマツトに開口した突起口に差し込む装着式にして、突起体又はＵ字状がズレないよう合体することを特徴とする請求項１記載におけるトイレマツト具。
【請求項４】
上記の足置き場の回りに足型の敷物を別の物で置く、足型の敷物は足置き場の回りの突起体又はＵ字状に、それに見合う足型の敷物に開口した突起口に差し込む装着式にして、足型の敷物がズレなく、取り外して洗うことや取替えが簡単にできることを特徴とする請求項１記載におけるトイレマツト具。
【発明の詳細な説明】
【技術分野】
【０００１】  本発明は、男子が便器外に小便を飛散しないように立つ位置を設けたトイレマツト具。
【背景技術】
【０００２】  従来、男子便器の前は飛散して汚れている。汚れが目立たぬマツトや１歩前など皆さんの協力を公共トイレなどはお願いするが、お店などはアルコールが入ったお客などで飛散が多くて困る。
【発明の概要】
【発明が解決しようとする課題】
【０００３】  男子の小便は便器から飛散することが多いが、汚さなくするには便器と立つ位置との距離にある。
本発明は、以上の問題点を解決するためになされたものである。
【課題を解決するための手段】
【０００４】  便器回りに敷くトイレマツト具において、男子が小便を便器の外に飛散しないように、立つべき位置を示して、左右一対の足置き場を設ける。足置き場は、回りを突起体又はＵ字状盛り上がり部などで囲み、一定の場所を指示する。突起体又はＵ字状盛り上がり部は、マツトに設けた突起口にマツトの裏から差し込み式で装着する形でもよい。足の先にあたる部分は、囲まず、足、履物、スリッパなどの自由な大きさに対応性をもたせる。
以上の構成よりなるトイレマツト具である。
【発明の効果】
【０００５】  本発明は男子が便器の外に小便が飛散しないに立つ位置を指定的に設けたことで、飛散による汚れを少なくできる。
【発明を実施するための形態】
【０００６】  以下、本発明の実施の形態について説明する。
（イ）便器回りに敷くトイレマツト具において、男子が小便を便器（１）の外に飛散しないように立つべき位置を示して、左右一対の足置き場（４）を設ける。
しないように立つべき位置を示して、左右一対の足置き場（４）を設ける。
（ロ）足置き場（４）は多数の突起体（３）又はＵ字状の盛り上がり部などで囲み１定の場所を指示する。
（ハ）突起体（３）又はＵ字状を座金（６）に設け、それに見合うマツト（５）に開口した突起口（７）に差し込み装着の方式でもよい。
（二）足置き場（４）の回りに足型の敷物を置く、足置き場（４）が１目で分かるようマツトと別ものの素材や色違いなどで造る。敷物は突起体（３）又はＵ字状に、見合う開口を設け合体することで、足型の敷物がズレなく出来る。
（ホ）足の先は囲まず、足、履物、スリッパの大きさなどで自由な大きさにできる。
本発明は以上のような構造であり、これを使用するときは、マツト（５）の足置き場（４）に左右の足を合わせるように立てば、おのずと小便は飛散しにくい。その際突起体（３）又はＵ字状に囲まれた足置き場（４）の前方は閉じられていないので、足の大きさに関係なく自由に置ける。足置き場（４）の突起体（３）又はＵ字状は座金上に設けて、それに見合うマツト開口した突起口（７）に差し込み装着方式の場合は、マツト面より出る突起体又はＵ字状がズレない留め具になる。
【符号の説明】
【０００７】  （１）便器  （２）便座  （３）突起体  （４）足置き場  （５）マツト
（６）座金  （７）突起口
【図面の簡単な説明】
【０００８】
【図１】本発明の使用状態を示す斜視図
【図２】本発明の平面図
【図３】本発明の一部である座金部の斜視図
【図１】
2011194190.tif 000003
【図２】
2011194190.tif 000004
【図３】
2011194190.tif 000005